(57)【要約】      （修正有）【課題】眉毛に対して眉墨液を均一に塗布できる構造の化粧料塗布具を提供する。【解決手段】化粧料塗布具３０は、棒状に形成された芯材３２と、芯材３２の一端部に形成された塗布部３３と、芯材３２の他端部が取り付けられた保持部３１と、を備える。そして、塗布部３３は、芯材３２から放射状に延びる毛材により形成されている。また、塗布部３３の外径は、２．２ｍｍ以上、２．８ｍｍ以下となっている。これによって、眉墨液を、眉毛の根毛付近から毛先に至るまで均一に、より一層美しく塗布することが可能となる。【選択図】図１
0003172716.tif 000002
【実用新案登録請求の範囲】
【請求項１】
眉墨液を眉毛に対して塗布するための化粧料塗布具であって、
棒状に形成された芯材と、
前記芯材の一端部に形成された塗布部と、
前記芯材の他端部が取り付けられた保持部と、を備え、
前記塗布部は、前記芯材から放射状に延びる毛材により形成され、
前記塗布部の外径は、２．２ｍｍ以上、２．８ｍｍ以下となっていることを特徴とする化粧料塗布具。
【請求項２】
前記塗布部の外径は、該塗布部の全長に亘って同一となっていることを特徴とする請求項１に記載の化粧料塗布具。
【請求項３】
前記塗布部の全長は、１２．０ｍｍ以上、１４．５ｍｍ以下となっていることを特徴とする請求項１又は２に記載の化粧料塗布具。
【請求項４】
前記塗布部と前記保持部との間に隙間が設けられていることを特徴とする請求項１乃至３のうちいずれか一項に記載の化粧料塗布具。
【考案の詳細な説明】
【技術分野】
【０００１】
本考案は、眉毛への眉墨液の塗布に用いられる化粧料塗布具に関する。
【背景技術】
【０００２】
従来、眉墨液（化粧料）等の塗布に用いられる化粧料塗布具として、例えば、特許文献１に示す液塗布具が知られている。
この液塗布具は、芯材から放射状に突出する毛材によって形成された塗布部を有し、塗布部において、縦方向に所定の幅を有する横溝が形成されている。これによって、塗布部に形成された横溝において多量の眉墨液を保持することができ、眉毛（塗布対象毛）への眉墨液の塗布量を増加することが可能となる。
【先行技術文献】
【特許文献】
【０００３】
【特許文献１】特開２０１０−６９０２２号公報
【考案の概要】
【考案が解決しようとする課題】
【０００４】
しかしながら、従来の液塗布具では、眉毛に対し塗布部を眉毛の根元に近い部分まで挿入することが難しく、眉毛の生え際、つまり根本に近い部分への眉墨液の塗布が困難となる。
また、従来の液塗布具では、眉毛への眉墨液の塗布量が過剰となり、その結果、塗布直後の眉毛に部分的にいわゆるダマが発生することが多く、塗りムラが発生して仕上がりが悪くなる。
本考案の課題は、眉毛に対して根元部分から毛先に至るまで眉墨液を均一に塗布して、簡単に美しく仕上げることにある。
【課題を解決するための手段】
【０００５】
上記課題を達成するために、第一の考案に係る化粧料塗布具は、眉墨液を眉毛に対して塗布するための化粧料塗布具であって、棒状に形成された芯材と、前記芯材の一端部に形成された塗布部と、前記芯材の他端部が取り付けられた保持部とを備え、前記塗布部は、前記芯材から放射状に延びる毛材により形成され、前記塗布部の外径は、２．２ｍｍ以上、２．８ｍｍ以下となっていることを特徴とする。
第一の考案に係る化粧料塗布具では、毛材により形成された塗布部の外径が、２．２ｍｍ以上、２．８ｍｍ以下となっている。
これにより、塗布部の毛材間に保持される眉墨液（化粧料）の量が過剰となることが抑制され、眉毛（塗布対象毛）における塗りムラ（ダマ）の発生を抑制することが可能となる。
また、塗布部の外径が適切に設定されているため、取扱いが容易となり、眉毛の生え際、つまり、より一層根本に近い部分から眉墨液を塗布することが可能となる。
したがって、第一の考案に係る化粧料塗布具によれば、眉毛に対して眉墨液を均一に塗布することが可能となる。
【０００６】
第二の考案に係る化粧料塗布具は、第一の考案に係る化粧料塗布具において、前記塗布部の外径は、該塗布部の全長に亘って同一となっていることを特徴とする。
第二の考案に係る化粧料塗布具によれば、塗布部に保持される眉墨液の量が、塗布部の全長に亘って均一となり、複数本の眉毛に対して眉墨液を同時に、しかも均一に塗布することが可能となる。
第三の考案に係る化粧料塗布具は、第一又は第二の考案に係る化粧料塗布具において、前記塗布部の全長は、１２．０ｍｍ以上、１４．５ｍｍ以下となっていることを特徴とする。
第三の考案に係る化粧料塗布具では、塗布部の全長が適切に設定されているため、塗布部の両端部寄りに保持された眉墨液の乾燥が少なく、さらに取扱いが容易となる。
【０００７】
第四の考案に係る化粧料塗布具は、第一乃至第三のうちいずれか一の考案に係る化粧料塗布具において、前記塗布部と前記保持部との間に隙間が設けられていることを特徴とする。
第四の考案に係る化粧料塗布具によれば、眉墨液の保持範囲が明確になり、眉墨液の無駄を減少させ、また、眉毛に眉墨液を塗布する際に、保持部が邪魔になることを防止可能となる。
【考案の効果】
【０００８】
本考案によれば、眉墨液を、眉毛の根毛付近から毛先に至るまで均一に、より一層美しく塗布することが可能となる。
【図面の簡単な説明】
【０００９】
【図１】本考案に係る化粧料塗布具を備える化粧料容器を示す正面図である。
【図２】図１に示す化粧料塗布具の塗布部を示す部分断面図である。
【図３】図２に示す塗布部の詳細を示す図である。
【考案を実施するための形態】
【００１０】
以下、本考案の実施形態に係る化粧料容器１について、図面を参照しながら説明する。
（化粧料容器１の構成）
まず、化粧料容器１の構成について説明する。
図１は、本考案に係る化粧料塗布具を備える化粧料容器を示す正面図である。図２は、図１に示す化粧料塗布具の塗布部を示す部分断面図である。図３は、図２に示す塗布部の詳細を示す図である。
図１に示すように、化粧料容器１は、内部に液体状の化粧料を収容する容器本体１０と、容器本体１０に対して着脱可能となるキャップ２０と、キャップ２０内に取り付けられた化粧料塗布具３０と、を備えている。
【００１１】
容器本体１０は、底面を有し、天面が開口された円筒状に形成されている。容器本体１０の開口縁には、円筒状の連結部１１が設けられている。連結部１１の外周面には、雄ネジ部１２が形成されている。また、連結部１１の内周面には、内方に向かって突出するしごき（図示せず）が設けられている。
そして、容器本体１０には、化粧料として、眉毛（塗布対象毛）に塗布される眉墨液（眉マスカラ液）が収容される。
キャップ２０は、円筒状に形成されている。キャップ２０の下端部の内周面には、容器本体１０の雄ネジ部１２に対応する雌ネジ部（図示せず）が形成されている。
【００１２】
化粧料塗布具３０は、キャップ２０の内側に取り付けられた保持部３１と、保持部３１の下端部に取り付けられた芯材３２と、芯材３２の下端部（一端部）に形成された塗布部３３と、を有している。
図２に拡大して示すように、保持部３１は、円柱状に形成され、その中心軸とキャップ２０の中心軸とが同軸となるように、キャップ２０に固定されている。保持部３１の下端部には、芯材３２の上端部（他端部）が挿入される挿入孔３１ａが設けられている。保持部３１の外径は、塗布部３３の外径より小さくなっている。
芯材３２は、金属ワイヤー等により棒状に形成され、その上端部が保持部３１の挿入孔３１ａに挿入された状態で、保持部３１に固定される。ここで、芯材３２は、その中心軸と保持部３１の中心軸とが同軸となるように、保持部３１によって保持される。本実施形態では、芯材３２は、塗布部３３と保持部３１との間に所定の隙間ｘが設けられた状態で、保持部３１に固定されている。
【００１３】
塗布部３３は、各図において芯材３２の下端部における所定範囲に形成されている。塗布部３３は、芯材３２から放射状に延びる毛材３３ａにより形成されている。毛材３３ａは、ナイロン、テトロン、ポリエステル、ＰＰ等の合成樹脂材料により形成される。
本実施形態では、芯材３２は、２本の針金をねじり合せることにより形成されている。なお、本実施形態では、１本の針金を２つ折りにして、２本の針金としている。この際、複数の毛材３３ａを２本の針金の間に挟持しながら２本の針金を螺旋状にねじり合せることによって、ブラシ状（スクリューブラシ状）の塗布部３３を形成している。
【００１４】
具体的には、図３（ａ）に示すように、塗布部３３は、２本の針金の間の所定範囲において複数の毛材３３ａを配設した状態で、２本の針金をねじり合せることにより形成される。これにより、図３（ｂ）に示すように、芯材３２の下端部の所定範囲において、芯材３２から放射状に延びるように複数の毛材３３ａが螺旋状に配設される。
塗布部３３の外径ｙは、塗布部３３の全長に亘って同一となっている。ここで、塗布部３３の外径ｙが２．２ｍｍ未満となると、塗布部３３に保持される眉墨液の量が不足して、眉毛への眉墨液の適切な塗布量を満たさなくなる。一方、塗布部３３の外径ｙが２．８ｍｍを超えると、眉毛の根本に近い部分への眉墨液の塗布が困難となり、また、塗布部３３に保持される眉墨液の量が過剰となり、眉毛において塗りムラ（ダマ）が発生し易くなる。そこで、本実施形態では、図２に示すように、塗布部３３の外径ｙを、２．２ｍｍ以上、２．８ｍｍ以下に設定している。
【００１５】
また、塗布部３３の全長ｚが１２．０ｍｍ未満となると、塗布部３３により塗布可能な眉毛の範囲が狭くなる結果、眉毛への眉墨液の塗布回数が増えて、眉毛に対する眉墨液の均一な塗布が困難となる。一方、塗布部３３の全長ｚが１４．５ｍｍを超えると、化粧料塗布具３０の取り扱いが困難となり、眉毛の根本に近い部分への眉墨液の塗布が困難となるほか、眉毛にあまり当接しない塗布部３３の両端部寄りの眉墨液が乾燥しやすくなり、眉墨液の無駄が多くなる。そこで、本実施形態では、図２に示すように、塗布部３３の全長ｚを、１２．０ｍｍ以上、１４．５ｍｍ以下に設定している。
【００１６】
（化粧料容器１の作用）
次に、化粧料容器１の作用について説明する。
キャップ２０が容器本体１０に装着された状態の化粧料容器１では、キャップ２０内に取り付けられた化粧料塗布具３０の塗布部３３が、容器本体１０に収容されている眉墨液に浸った状態となっている。
そして、眉毛への眉墨液の塗布を行う際には、キャップ２０を容器本体１０から取り外す。これによって、塗布部３３に眉墨液を保持した状態で、化粧料塗布具３０が容器本体１０から抜き出される。
このとき、容器本体１０の連結部１１の内周面に設けられたしごきによって、過剰に保持している眉墨液をしごき落とすことができる。
ここで、容器本体１０に収容されている眉墨液の粘度は、塗布部３３に対して適切な量の眉墨液が付着するように調整されている。また、容器本体１０に設けられたしごきの内径は、塗布部３３の外径ｙに応じて適切に調整されている。そして、塗布部３３と眉墨液と容器本体１０に設けられたしごきとの関係性によって、化粧料塗布具３０が容器本体１０から抜き出された際に、塗布部３０が保持する眉墨液の量が適切に調整される。
そして、キャップ２０を柄として操作し、塗布部３３を眉毛に押し当てた状態で、塗布部３３を眉毛に沿って回転又は左右に移動させることによって、眉毛に対して眉墨液を塗布することができる。
また、化粧料塗布具３０によれば、塗布部３３の先端部を筆先のように用いて、塗布部３３の先端部に保持されている眉墨液を眼上に塗布することによって、眉毛が生えていない部分において眉を描くこともできる。
【００１７】
特に、化粧料塗布具３０では、毛材３３ａにより形成された塗布部３３の外径が、２．２ｍｍ以上、２．８ｍｍ以下となっていることにより、塗布部３３に保持される眉墨液の量が過剰となることが抑制され、塗布時、または塗布後の眉毛における塗りムラ（ダマ）の発生を抑制することが可能となる。
また、化粧料塗布具３０では、塗布部３３の外径が適切に設定されているため、取扱いが容易となり、眉毛のより根本に近い部分から眉墨液を塗布することが可能となる。
したがって、化粧料塗布具３０によれば、眉毛に対して眉墨液を均一に塗布することができ、より一層美麗に仕上げることが可能となる。
また、化粧料塗布具３０では、毛材３３ａにより形成された塗布部３３の外径が、２．２ｍｍ以上、２．８ｍｍ以下となっていることにより、塗布部３３の先端部を筆先のように用いることができ、眉毛が生えていない部分において眉を描くことが可能となる。
また、化粧料塗布具３０では、塗布部３３の外径ｙが、塗布部３３の全長に亘って同一となっていることによって、塗布部３３に保持される眉墨液の量が、塗布部３３の全長に亘って均一となり、複数本の眉毛に対して眉墨液を均一に塗布することが可能となる。
【００１８】
さらに、化粧料塗布具３０では、塗布部３３の全長ｚが、１２．０ｍｍ以上、１４．５ｍｍ以下となっていることによって、塗布部３３の全長が適切に設定され、さらに取扱いが容易となるとともに、塗布部３３の両端部付近の眉墨液の乾燥を抑制し、眉墨液の無駄を減少させることができる。
また、化粧料塗布具３０では、塗布部３３と保持部３１との間に隙間が設けられていることによって、塗布部３３の範囲が明確となり、眉毛に眉墨液を塗布する際に、保持部３１が邪魔になることを防止することが可能となる。
さらに、化粧料塗布具３０では、保持部３１の外径が塗布部３３の外径より小さくなっていることによって、眉毛に眉墨液を塗布する際に、保持部３１が邪魔になることがさらに防止され、眉毛の根元に近い部分に対する眉墨液の塗布を容易に行うことが可能となる。
【符号の説明】
【００１９】
１      化粧料容器
１０    容器本体
１１    連結部
１２    雄ネジ部
２０    キャップ
３０    化粧料塗布具
３１    保持部
３１ａ  挿入孔
３２    芯材
３３    塗布部
３３ａ  毛材
【図１】
0003172716.tif 000003
【図２】
0003172716.tif 000004
【図３】
0003172716.tif 000005